【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
警備領域内の異常を検知した場合に所定の対処動作を行う制御装置と、
非警備対象者が警備領域外へ出る際の動作を検知する外出動作検知用センサと、
警備領域内に存在する非警備対象者を検知する非警備対象者検知用センサとを備え、かつ、
上記制御装置は、
警備領域内の異常を検知した場合に対処動作を行う警戒モードと行わない非警戒モードとを切り替えるモード切替手段と、
上記外出動作検知用センサが非警備対象者の外出を検知した時、上記非警備対象者検知用センサが他に非警備対象者を検知せず、かつ、非警戒モードである場合に、その旨を示すモード切替督促情報を遠隔位置のリモート報知器に提示させるモード切替督促手段と、を具備することを特徴とする機械警備システム。
【請求項２】
警備領域内の異常を検知した場合に所定の対処動作を行う制御装置と、
非警備対象者が警備領域外へ出る際の動作を検知する外出動作検知用センサと、
警備領域内に存在する非警備対象者を検知する複数の非警備対象者検知用センサとを備え、かつ、
上記制御装置は、
警備領域内の異常を検知した場合に対処動作を行う警戒モードと行わない非警戒モードとを切り替えるモード切替手段と、
上記複数の非警備対象者検知用センサの警戒モードにおける初期状態を示す初期状態データを記憶する記憶手段と、
上記複数の非警備対象者検知用センサの検知状態と、上記初期状態データとの一致を検出する初期状態検出手段と、
上記外出動作検知用センサが非警備対象者の外出を検知した時、上記複数の非警備対象者検知用センサの検知状態が上記初期状態データと一致し、かつ、非警戒モードである場合に、その旨を示すモード切替督促情報を遠隔位置のリモート報知器に提示させるモード切替督促手段と、を具備することを特徴とする機械警備システム。
【請求項３】
上記外出動作検知用センサは、非警備対象者が警備領域の出口を警備領域の内から外へ通過する動作を検知可能に配設されていることを特徴とする請求項２に記載の機械警備システム。
【請求項４】
警備領域内の異常を検知した場合に所定の対処動作を行う制御装置と、
警備領域内に存在する非警備対象者を検知する複数の非警備対象者検知用センサを備え、かつ、
上記制御装置は、
警備領域内の異常を検知した場合に対処動作を行う警戒モードと行わない非警戒モードとを切り替えるモード切替手段と、
上記複数の非警備対象者検知用センサの警戒モードにおける初期状態を示す初期状態データを記憶する記憶手段と、
上記複数の非警備対象者検知用センサの検知状態と、上記初期状態データとの一致を検出する初期状態検出手段と、
上記複数の非警備対象者検知用センサの検知状態が上記初期状態データと一致し、かつ、非警戒モードである場合に、その旨を示すモード切替督促情報を遠隔位置のリモート報知器に提示させるモード切替督促手段と、を具備することを特徴とする機械警備システム。
【請求項５】
上記制御装置は、
利用者の指示に従って警戒モードに切り替わった時、その時あるいはその時より所定時間後の上記非警備対象者検知用センサの検知状態を初期状態データとして、当該検知状態の累積頻度と関連づけて、上記記憶手段に格納する初期状態データ累積記憶手段と、をさらに具備するとともに、
上記初期状態検出手段は、上記複数の非警備対象者検知用センサの検知状態と、上記記憶手段に格納されている累積頻度が多いものから所定順位までの初期状態データとの一致を検出するものであることを特徴とする請求項４に記載の機械警備システム。
【請求項６】
上記リモート報知器は、利用者が警戒モードへのモード切替指示を入力するリモート切替指示入力手段を備え、
上記制御装置のモード切替手段は、リモート報知器より受信した上記モード切替指示に基づいて警戒モードへの切り替えを行うものであることを特徴とする請求項１から５のいずれか１項に記載の機械警備システム。
【請求項７】
警備領域内の異常を検知した場合に所定の対処動作を行う制御装置と、
非警備対象者が警備領域外へ出る際の動作を検知する外出動作検知用センサと、
警備領域内に存在する非警備対象者を検知する非警備対象者検知用センサとを備え、かつ、
上記制御装置は、
警備領域内の異常を検知した場合に対処動作を行う警戒モードと行わない非警戒モードとを切り替えるモード切替手段を具備するとともに、
上記モード切替手段が、上記外出動作検知用センサが非警備対象者の外出を検知した時、上記非警備対象者検知用センサが他に非警備対象者を検知せず、かつ、非警戒モードである場合に、自動的に警戒モードに切り替えるものであることを特徴とする機械警備システム。
【請求項８】
警備領域内の異常を検知した場合に所定の対処動作を行う制御装置と、
警備領域内に存在する非警備対象者を検知する非警備対象者検知用センサを備え、かつ、
上記制御装置は、
警備領域内の異常を検知した場合に対処動作を行う警戒モードと行わない非警戒モードとを切り替えるモード切替手段と、
上記複数の非警備対象者検知用センサの警戒モードにおける初期状態を示す初期状態データを記憶する記憶手段と、
上記複数の非警備対象者検知用センサの検知状態と、上記初期状態データとの一致を検出する初期状態検出手段とを具備するとともに、
上記モード切替手段が、上記複数の非警備対象者検知用センサの検知状態が上記初期状態データと一致し、かつ、非警戒モードである場合に、自動的に警戒モードに切り替えるものであることを特徴とする機械警備システム。
【請求項９】
上記モード切替手段が、自動的に警戒モードに切り替えた場合、その旨を示すモード切替報告情報を遠隔位置のリモート報知器に提示させるモード切替報告手段をさらに具備することを特徴とする請求項８に記載の機械警備システム。
【請求項１０】
請求項１から９のいずれか１項に記載の機械警備システムを構成する制御装置。
【請求項１１】
請求項１から９のいずれか１項に記載の機械警備システムを構成するリモート報知器。
【請求項１２】
携帯電話であることを特徴とする請求項１１に記載のリモート報知器。
【請求項１３】
警備領域の出口の鍵と一体に設けられていることを特徴とする請求項１１に記載のリモート報知器。
【請求項１４】
自動車のリモートキーと一体に設けられていることを特徴とする請求項１１に記載のリモート報知器。
【請求項１５】
警備領域内の異常を検知した場合に所定の対処動作を行う警戒モードと行わない非警戒モードとを切り替え可能な機械警備システムの制御方法であって、
警備領域内に存在する非警備対象者を検知する複数の非警備対象者検知用センサの検知状態が、それら非警備対象者検知用センサの警戒モードにおける初期状態と一致することを検出する初期状態検出処理と、
上記複数の非警備対象者検知用センサの検知状態が上記初期状態と一致し、かつ、非警戒モードである場合に、その旨を示すモード切替督促情報を遠隔位置のリモート報知器に提示するモード切替督促処理と、を含むことを特徴とする機械警備システムの制御方法。
【請求項１６】
警備領域内の異常を検知した場合に所定の対処動作を行う警戒モードと行わない非警戒モードとを切り替え可能な機械警備システムの制御方法であって、
警備領域内に存在する非警備対象者を検知する複数の非警備対象者検知用センサの検知状態が、それら非警備対象者検知用センサの警戒モードにおける初期状態と一致することを検出する初期状態検出処理と、
上記複数の非警備対象者検知用センサの検知状態が上記初期状態と一致し、かつ、非警戒モードである場合に、自動的に警戒モードに切り替える自動切替処理と、を含むことを特徴とする機械警備システムの制御方法。
【請求項１７】
請求項１から９のいずれか１項に記載の機械警備システムを動作させる制御プログラムであって、コンピュータを上記の各手段として機能させるための制御プログラム。
【請求項１８】
請求項１７に記載の制御プログラムを記録したコンピュータ読み取り可能な記録媒体。